(57)【要約】      （修正有）【課題】外部光による反射によって発生する反射光の色感を調節し、表示品質を改善した表示装置を提供する。【解決手段】表示装置ＤＳは、発光領域ＰＸＡ、及び発光領域と隣接する非発光領域ＮＰＸＡを有する表示パネルと、表示パネルの上に配置される色変換層と、表示パネルの上に配置され、発光領域に対応するメイン開口部、及び非発光領域に対応するサブ開口部が定義される遮光層と、色変換層に上に配置されるカラーフィルター層と、含み、カラーフィルター層は、メイン開口部と対応するメインフィルター部と、サブ開口部と対応するサブフィルター部と、非発光領域に対応し、サブ開口部と非重畳の遮光フィルター部と、を含むことで、優れた反射色感を具現する。【選択図】図２
2020109757.tif 000002
【特許請求の範囲】
【請求項１】
発光領域、及び前記発光領域と隣接する非発光領域を有する表示パネルと、
前記表示パネルの上に配置される色変換層と、
前記表示パネルの上に配置され、前記発光領域に対応するメイン開口部、及び前記非発光領域に対応するサブ開口部が定義される遮光層と、
前記色変換層に上に配置されるカラーフィルター層と、含み、
前記カラーフィルター層は、
前記メイン開口部と対応するメインフィルター部と、
前記サブ開口部と対応するサブフィルター部と、
前記非発光領域に対応し、前記サブ開口部と非重畳の遮光フィルター部と、を含む表示装置。
【請求項２】
前記表示パネルは、第１色光を放出する有機電界発光素子を含む請求項１に記載の表示装置。
【請求項３】
前記色変換層は、前記第１色光を第２色光に変換する第１量子ドットを含む第１色変換部と、
前記第１色光を第３色光に変換する第２量子ドットを含む第２色変換部と、
前記第１色光を透過させる第３色変換部と、を含む請求項２に記載の表示装置。
【請求項４】
前記カラーフィルター層は、
前記第２色光を透過させる第１フィルターと、
前記第３色光を透過させる第２フィルターと、
前記第１色光を透過させる第３フィルターと、を含み、
前記第１フィルター乃至前記第３フィルターは、それぞれ前記メインフィルター部及び前記遮光フィルター部を含み、
前記第１フィルター乃至前記第３フィルターのうち少なくとも一つは前記サブフィルター部を更に含む請求項３に記載の表示装置。
【請求項５】
前記第１色光は青色光であり、前記第２色光は赤色光であり、前記第３色光は緑色光であり、
前記第１フィルター乃至前記第３フィルターは前記サブフィルター部を含み、前記第２フィルターは前記サブフィルター部を含まない請求項４に記載の表示装置。
【請求項６】
前記第３色変換部と前記第３フィルターは一体に設けられる請求項４に記載の表示装置。
【請求項７】
前記第１色変換部乃至前記第３色変換部は散乱剤を更に含む請求項３に記載の表示装置。
【請求項８】
前記カラーフィルター層は、
前記第３色変換部と重畳して前記第１色光を透過させる第３フィルターと、
前記第１色変換部及び前記第２色変換部と重畳し、第４色光を透過させる第４フィルターと、を含む請求項３に記載の表示装置。
【請求項９】
前記遮光層は、前記表示パネルと前記カラーフィルター層との間に配置される請求項１に記載の表示装置。
【請求項１０】
前記遮光層は前記色変換層の上に配置され、
前記カラーフィルター層は前記遮光層をカバーする請求項１に記載の表示装置。
【請求項１１】
前記カラーフィルター層は前記色変換層の上に直接配置される請求項１に記載の表示装置。
【請求項１２】
発光領域、平面上において前記発光領域と離隔された反射領域、及び前記発光領域及び前記反射領域を囲む遮光領域を含む表示装置において、
有機電界発光素子を含む表示パネルと、
前記表示パネルの上に配置され、前記発光領域に対応して配置される複数個の色変換部を含む色変換層と、
前記色変換層の上に配置され、複数個のフィルターを含むカラーフィルター層と、
前記表示パネルの上に配置され、前記遮光領域に重畳し前記発光領域及び前記反射領域に非重畳の遮光部を含む遮光層と、を含む表示装置。
【請求項１３】
前記発光領域は、赤色発光領域、緑色発光領域、及び青色発光領域を含み、
前記反射領域は、赤色反射領域、及び青色反射領域を含む請求項１２に記載の表示装置。
【請求項１４】
前記発光領域は、複数個の赤色発光領域、複数個の緑色発光領域、及び複数個の青色発光領域を含み、
前記赤色発光領域、前記緑色発光領域、及び前記青色発光領域は第１方向に交互に配列され、
前記赤色発光領域、前記緑色発光領域、及び前記青色発光領域それぞれは前記第１方向と交差する第２方向に整列される請求項１２に記載の表示装置。
【請求項１５】
前記反射領域は、前記第２方向に整列される前記赤色発光領域の間に設けられる赤色反射領域と、
前記第２方向に整列される前記青色発光領域の間に設けられる青色反射領域と、を含む請求項１４に記載の表示装置。
【請求項１６】
前記有機電界発光素子は青色光を放出し、
前記色変換部は、
前記赤色発光領域に対応して配置され、赤色量子ドットを含む第１色変換部と、
前記緑色発光領域に対応して配置され、緑色量子ドットを含む第２色変換部と、
前記青色発光領域に対応して配置される第３色変換部と、を含む請求項１３に記載の表示装置。
【請求項１７】
前記フィルターは、
前記赤色発光領域及び前記赤色反射領域に重畳する赤色フィルターと、
前記緑色発光領域に重畳する緑色フィルターと、
前記青色発光領域及び前記青色反射領域に重畳する青色フィルターと、を含む請求項１３に記載の表示装置。
【請求項１８】
平面上において、前記赤色発光領域の面積は、前記緑色発光領域の面積及び前記青色発光領域の面積より大きい請求項１３に記載の表示装置。
【請求項１９】
前記発光領域、前記反射領域、及び前記遮光領域の全体の面積に対する前記反射領域の面積の割合は、０％より大きく１０％以下である請求項１２に記載の表示装置。
【請求項２０】
有機電界発光素子を含む表示パネルと、前記表示パネルの上に配置され、平面上において互いに離隔された複数個の色変換部を含む色変換層と、
前記表示パネルの上に配置され、前記色変換部に重畳するメイン開口部、及び前記色変換部と非重畳のサブ開口部が定義される遮光層と、
前記色変換層の上に配置され、複数個のフィルターを含むカラーフィルター層と、を含み、
前記フィルターそれぞれは前記メイン開口部と重畳するメインフィルター部、及び前記メインフィルター部に隣接する遮光フィルター部を含み、
前記フィルターのうち少なくとも一つは前記遮光フィルター部に隣接し、前記メインフィルター部と離隔されたサブフィルター部を更に含む表示装置。
【発明の詳細な説明】
【技術分野】
【０００１】
本発明は表示装置に関し、より詳しくは、カラーフィルター層及び色変換層を含む表示装置に関する。
【背景技術】
【０００２】
テレビジョン、携帯電話、タブレットコンピュータ、ナビゲーション、ゲーム機などのようなマルチメディア装置に使用される多様な表示装置が開発されている。このような表示装置を使用する際、外部光が表示装置内に入射されれば、入射された外部光が表示パネル内の電極、または表示装置内に積層された層の間の界面で反射して表示品質が低下するようになる。
【０００３】
それによって、外部から入射される光による表示品質の低下を改善するための研究が求められている。
【先行技術文献】
【特許文献】
【０００４】
【特許文献１】韓国公開特許第１０−２０１８−００８５８４９
【特許文献２】韓国公開特許第１０−２０１７−００３８５９６
【特許文献３】韓国公開特許第１０−２０１５−００６９９４７
【発明の概要】
【発明が解決しようとする課題】
【０００５】
本発明の目的は、外部光による反射によって発生する反射光の色感を調節し、表示品質を改善した表示装置を提供することである。
【０００６】
また、本発明の目的は、黄色がかった（ｙｅｌｌｏｗｉｓｈ）色感を改善してニュートラルな（ｎｅｕｔｒａｌ）反射色を有する表示装置を提供することである。
【課題を解決するための手段】
【０００７】
本発明の一実施形態は、発光領域、及び前記発光領域と隣接する非発光領域を有する表示パネルと、前記表示パネルの上に配置される色変換層と、前記表示パネルの上に配置され、前記発光領域に対応するメイン開口部、及び前記非発光領域に対応するサブ開口部が定義される遮光層と、前記色変換層に上に配置されるカラーフィルター層と、含み、前記カラーフィルター層は、前記メイン開口部と対応するメインフィルター部と、前記サブ開口部と対応するサブフィルター部と、前記非発光領域に対応し、前記サブ開口部と非重畳の遮光フィルター部と、を含む表示装置を提供する。
【０００８】
前記表示パネルは、第１色光を放出する有機電界発光素子を含んでもよい。
【０００９】
前記色変換層は、前記第１色光を第２色光に変換する第１量子ドットを含む第１色変換部と、前記第１色光を第３色光に変換する第２量子ドットを含む第２色変換部と、前記第１色光を透過させる第３色変換部と、を含んでもよい。
【００１０】
前記カラーフィルター層は、前記第２色光を透過させる第１フィルターと、前記第３色光を透過させる第２フィルターと、前記第１色光を透過させる第３フィルターと、を含み、前記第１フィルター乃至前記第３フィルターは、それぞれ前記メインフィルター部及び前記遮光フィルター部を含み、前記第１フィルター乃至前記第３フィルターのうち少なくとも一つは前記サブフィルター部を更に含んでもよい。
【００１１】
前記第１色光は青色光であり、前記第２色光は赤色光であり、前記第３色光は緑色光であり、前記第１フィルター乃至前記第３フィルターは前記サブフィルター部を含み、前記第２フィルターは前記サブフィルター部を含まなくてもよい。
【００１２】
前記第３色変換部と前記第３フィルターは一体に設けられてもよい。
【００１３】
前記第１色変換部乃至前記第３色変換部は散乱剤を更に含んでもよい。
【００１４】
前記カラーフィルター層は、前記第３色変換部と重畳して前記第１色光を透過させる第３フィルターと、前記第１色変換部及び前記第２色変換部と重畳し、前記第４色光を透過させる第４フィルターと、を含んでもよい。
【００１５】
前記遮光層は、前記表示パネルと前記カラーフィルター層との間に配置される。
【００１６】
前記遮光層は前記色変換層の上に配置され、前記カラーフィルター層は前記遮光層をカバーしてもよい。
【００１７】
前記カラーフィルター層は前記色変換層の上に直接配置されてもよい。
【００１８】
本発明の一実施形態は、発光領域、平面上において前記発光領域と離隔された反射領域、及び前記発光領域及び前記反射領域を囲む遮光領域を含む表示装置において、有機電界発光素子を含む表示パネルと、前記表示パネルの上に配置され、前記発光領域に対応して配置される複数個の色変換部を含む色変換層と、前記色変換層の上に配置され、複数個のフィルターを含むカラーフィルター層と、前記表示パネルの上に配置され、前記遮光領域に重畳し前記発光領域及び前記反射領域非重畳の遮光部を含む遮光層と、を含む表示装置を提供する。
【００１９】
前記発光領域は、赤色発光領域、緑色発光領域、及び青色発光領域を含み、前記反射領域は、赤色反射領域、及び青色反射領域を含んでもよい。
【００２０】
前記発光領域は、複数個の赤色発光領域、複数個の緑色発光領域、及び複数個の青色発光領域を含み、前記赤色発光領域、前記緑色発光領域、及び前記青色発光領域は第１方向に交互に配列され、前記赤色発光領域、前記緑色発光領域、及び前記青色発光領域それぞれは前記第１方向と交差する第２方向に整列されてもよい。
【００２１】
前記反射領域は、前記第２方向に整列される前記赤色発光領域の間に設けられる赤色反射領域と、前記第２方向に整列される前記青色発光領域の間に設けられる青色反射領域と、を含んでもよい。
【００２２】
前記有機電界発光素子は青色光を放出し、前記色変換部は前記赤色発光領域に対応して配置され、赤色量子ドットを含む第１色変換部と、前記緑色発光領域に対応して配置され、緑色量子ドットを含む第２色変換部と、前記青色発光領域に対応して配置される第３色変換部と、を含んでもよい。
【００２３】
前記フィルターは、前記赤色発光領域及び前記赤色反射領域に重畳する赤色フィルターと、前記緑色発光領域に重畳する緑色フィルターと、前記青色発光領域及び前記青色反射領域に重畳する青色フィルターと、を含む。
平面上において、前記赤色発光領域の面積は、前記緑色発光領域の面積及び前記青色発光領域の面積より大きくてもよい。
【００２４】
前記発光領域、前記反射領域、及び前記遮光領域の全体の面積に対する前記反射領域の面積の割合は、０％より大きく１０％以下であってもよい。
【００２５】
本発明の一実施形態は、有機電界発光素子を含む表示パネルと、前記表示パネルの上に配置され、平面上において互いに離隔された複数個の色変換部を含む色変換層と、前記表示パネルの上に配置され、前記色変換部に重畳するメイン開口部、及び前記色変換部と非重畳のサブ開口部が定義される遮光層と、前記色変換層の上に配置され、複数個のフィルターを含むカラーフィルター層と、を含み、前記フィルターそれぞれは前記メイン開口部と重畳するメインフィルター部、及び前記メインフィルター部に隣接する遮光フィルター部を含み、前記フィルターのうち少なくとも一つは前記遮光フィルター部に隣接し、前記メインフィルター部と離隔されたサブフィルター部を更に含む表示装置を提供する。
【発明の効果】
【００２６】
本発明の一実施形態の表示装置は、非発光領域でカラーフィルター層を一部露出させて、改善された反射色感を示す。
【００２７】
また、本発明の一実施形態の表示装置は、非発光領域に対応する遮光層に開口部を定義し、非発光領域で遮光部と非重畳のカラーフィルターを含むことでニュートラルな色感を示す。
【図面の簡単な説明】
【００２８】
【図１】本発明の一実施形態の電子装置の斜視図である。
【図２】本発明の一実施形態の表示装置の平面図である。
【図３】図２のＩ−Ｉ’線に対応するの断面図である。
【図４】図２のＩＩ−ＩＩ’線に対応する本発明の一実施形態の表示装置の断面図である。
【図５】本発明の一実施形態による表示装置の一部を示す平面図である。
【図６】図２のＩＩＩ−ＩＩＩ’線に対応する本発明の一実施形態の表示装置の断面図である。
【図７】本発明の一実施形態による表示装置における波長による反射率を示すグラフである。
【図８】本発明の一実施形態による表示装置を示す断面図である。
【図９】本発明の一実施形態による表示装置の一部を示す平面図である。
【図１０】本発明の一実施形態による表示装置の一部を示す断面図である。
【図１１】本発明の一実施形態による表示装置を示す断面図である。
【図１２】本発明の一実施形態による表示装置の一部を示す断面図である。
【図１３】本発明の一実施形態による表示装置の一部を示す断面図である。
【図１４】本発明の一実施形態による表示装置の一部を示す断面図である。
【図１５】本発明の一実施形態による表示装置を示す断面図である。
【図１６】本発明の一実施形態による表示装置を示す断面図である。
【図１７】本発明の一実施形態の表示装置の平面図である。
【図１８】本発明の一実施形態の表示装置の平面図である。
【図１９】本発明の一実施形態による表示装置を示す断面図である。
【発明を実施するための形態】
【００２９】
本発明は、多様な変更を加えることができ、多様な形態を有することができるゆえ、特定の実施形態を図面に例示し、本文に詳細に説明する。しかし、これは本発明を特定の開示される形態に対して限定しようとするものではなく、本発明の主旨及び技術範囲に含まれる全ての変更、均等物乃至代替物を含むと理解すべきである。
【００３０】
本明細書において、ある構成要素（または領域、層、部分など）が他の構成要素の「上にある」、または「結合される」と言及される場合、それは他の構成要素の上に直接配置、接続または結合され得るか、またはそれらの間に第３の構成要素が配置され得ることを意味する。
【００３１】
一方、本出願において、「直接配置」されるとは、層、膜、領域、板などの部分と他の部分の間に追加される層、膜、領域、板などがないことを意味する可能性がある。例えば、「直接配置」されるとは、２つの層または２つの部材の間に接着部材などの追加の部材を使用せずに配置することを意味する可能性がある。
【００３２】
同じ図面符号は同じ構成要素を示す。また、図面において、構成要素の厚さ、割合、及び寸法は技術的内容の効果的な説明のために誇張されている。
【００３３】
「及び／または」は、関連する構成が定義する一つ以上の組み合わせを全て含む。
【００３４】
第１、第２などの用語は多様な構成要素を説明するのに使用されるが、前記構成要素は前記用語に限定されない。前記用語は一つの構造要素を他の構成要素から区別する目的にのみ使用される。例えば、本発明の権利範囲を逸脱しない範囲において、第１構成要素は第２構成要素と称されてもよく、同様に、第２構成要素も第１構成要素と称されてもよい。単数の表現は、文脈上明白に異なるように意味しない限り、複数の表現を含む。
【００３５】
また、「下に」、「下側に」、「上に」、「上側に」などの用語は、図面に示した構成の連関関係を説明するために使用される。前記用語は相対的な概念であって、図面に示した方向を基準に説明される。
【００３６】
異なるように定義されない限り、本明細書で使用された全ての用語（技術的及び科学的用語を含む）は、本発明の属する技術分野の当業者によって一般的に理解されるようなものと同じ意味を有する。また、一般的に使用される辞書に定義されている用語のような用語は、関連技術の脈絡での意味と一致する意味を有すると解釈すべきであり、理想的な、または過度に形式的な意味に解釈されない限り、明示的にここで定義される。
【００３７】
「含む」または「有する」などの用語は明細書の上に記載された特徴、数字、ステップ、動作、構成要素、部品またはこれらを組み合わせたものが存在することを指定するものであって、一つまたはそれ以上の他の特徴や数字、ステップ、動作、構成要素、部分品またはこれらを組み合わせたものの存在または付加可能性を予め排除しないと理解すべきである。
【００３８】
以下、図面を参照して、本発明の一実施形態の表示装置について説明する。
【００３９】
図１は、電子装置ＥＤの本発明の一実施形態を示す斜視図である。本発明の一実施形態において、電子装置ＥＤは、テレビ、モニター、または外部広告板のような大型電子装置である。また、電子装置ＥＤは、パソコン、ノートパソコン、個人情報端末、カーナビゲーションユニット、ゲーム機、スマートフォン、タブレット、及びカメラのような中小型電子装置である。また、これらは単に一実施形態として提示されたものであって、本発明の概念から逸脱しない範囲において、他の電子装置として採用されてもよい。
【００４０】
電子装置ＥＤは、表示装置ＤＳ及び筐体ＨＡＵを含む。表示装置ＤＳは、表示面ＩＳを介して映像ＩＭを表示する。図１においては、表示面ＩＳが第１方向軸ＤＲ１、及び第１方向軸ＤＲ１と交差する第２方向軸ＤＲ２が定義する面と平行すると示している。しかし、これは例示的なものであって、他の実施形態において、表示装置ＤＳの表示面ＩＳは曲がった形状を有してもよい。
【００４１】
表示面ＩＳの法線方向、つまり、表示装置ＤＳの厚さ方向のうち映像ＩＭが表示される方向は第３方向軸ＤＲ３が指示する。また、表示装置ＤＳの厚さ方向のうち第３方向軸と反対方向は第4方向軸ＤＲ４が指示する。各部材の前面（または上面）と背面（または下面）は、第３方向軸ＤＲ３によって区分される。一方、第１乃至第４方向軸ＤＲ１、ＤＲ２、ＤＲ３、ＤＲ４が指示する方向は相対的な概念であり、他の方向に変更されてもよい。
【００４２】
筐体ＨＡＵは表示装置ＤＳを収納する。筐体ＨＡＵは、表示装置ＤＳの表示面ＩＳである上部面が露出されるように表示装置ＤＳをカバーしながら配置される。筐体ＨＡＵは表示装置ＤＳの側面と底面をカバーし、上部面全体を露出させる。但し、本実施形態はこれに限定されず、筐体ＨＡＵは、表示装置ＤＳの側面と底面だけでなく上部面の一部をカバーしてもよい。
【００４３】
図２は、本発明の一実施形態の表示装置を示す平面図である。図３は図２のＩ−Ｉ’線に対応する断面図を示し、図４は図２のＩＩ−ＩＩ’線に対応する断面図を示す。図５は本発明の一実施形態の表示装置の一部を示す平面図であり、図６は本発明の一実施形態の表示装置の一部を示す断面図である。
【００４４】
図２を参照すると、本実施形態の表示装置ＤＳは、表示領域ＤＡ、及び表示領域ＤＡに隣接する非表示領域ＮＤＡを含む。表示領域ＤＡは映像ＩＭ（図１）が表示される部分に当たる。
【００４５】
本実施形態において、表示領域ＤＡは四角形状である。非常時領域ＮＤＡは、表示領域ＤＡを囲む。但し、これに限定されず、表示領域ＤＡの形状と非表示領域ＮＤＡの形状は相対的にデザインされてもよい。また、表示装置ＤＳの前面である表示面ＩＳに非表示領域ＮＤＡが存在しなくてもよい。
【００４６】
本実施形態において、表示装置ＤＳは、表示パネルＤＰ、表示パネルＤＰの上に配置される色変換層ＣＣＬ、表示パネルＤＰの上に配置される遮光層ＢＭＬ、及び色変換層ＣＣＬの上に配置されるカラーフィルター層ＣＦＬを含む。本実施形態において、表示パネルＤＰは有機電界発光素子ＯＥＬを含む。つまり、表示パネルＤＰは有機電界発光表示パネルである。
【００４７】
図２を参照すると、本実施形態の表示装置ＤＳは、発光領域ＰＸＡ、及び非発光領域ＮＰＸＡを含む。非発光領域ＮＰＸＡは、発光領域ＰＸＡに隣接する。一方、表示装置ＤＳの発光領域ＰＸＡ及び非発光領域ＮＰＸＡは、それぞれ表示パネルＤＰの発光領域ＰＸＡ及び非発光領域ＮＰＸＡに当たる。
【００４８】
発光領域ＰＸＡは、第１乃至第３発光領域ＰＸＡ−Ｒ、ＰＸＡ−Ｇ、ＰＸＡ−Ｂを含む。第１乃至第３発光領域ＰＸＡ−Ｒ、ＰＸＡ−Ｇ、ＰＸＡ−Ｂは、平面上において互いに離隔されている。本実施形態の表示装置ＤＳにおいて、複数個の発光領域ＰＸＡ−Ｒ、ＰＸＡ−Ｇ、ＰＸＡ−Ｂは、第１発光領域ＰＸＡ−Ｒ、第２発光領域ＰＸＡ−Ｇ、及び第３発光領域ＰＸＡ−Ｂの順に第１方向軸ＤＲ１の方向に繰り返し配列される。
【００４９】
一方、複数個の第１発光領域ＰＸＡ−Ｒは、第１方向軸ＤＲ１と交差する第２方向軸ＤＲ２の方向に整列されて配置され、複数個の第２発光領域ＰＸＡ−Ｇは第２方向軸ＤＰ２の方向に整列されて配置され、複数個の第３発光領域ＰＰＸＡ−Ｂは第２方向軸ＤＰ２の方向に整列されて配置される。
【００５０】
例えば、本実施形態の表示装置ＤＳにおいて、第１発光領域ＰＸＡ−Ｒは赤色光を提供する赤色発光領域であり、第２発光領域ＰＸＡ−Ｇは緑色光を提供する緑色発光領域であり、第３発光領域ＰＸＡ−Ｂは青色光を提供する青色発光領域である。
【００５１】
つまり、図２を参照すると、複数個の赤色発光領域、複数個の緑色発光領域、及び複数個の青色発光領域それぞれは、第２方向軸ＤＲ２に沿って整列される。また、赤色発光領域、緑色発光領域、及び青色発光領域は、第１方向軸ＤＲ１に沿って交互に配置される。つまり、赤色発光領域、緑色発光領域、及び青色発光領域の順に第１方向軸ＤＲ１に沿って繰り返し配置される。しかし、本実施形態はこれに限定されず、異なる光を提供する発光領域の配置順及び配列方向は多様に変更されてもよい。
【００５２】
本実施形態において、非発光領域ＮＰＸＡは反射領域ＲＡ及び遮光領域ＢＡを含む。反射領域ＲＡは、表示装置ＤＳの外部から入射される光が表示装置ＤＳの内部で反射されて放出される部分である。遮光領域ＢＡは、発光領域ＰＸＡ及び反射領域ＲＡを囲む。遮光領域ＢＡは、後述する遮光部ＢＭに対応する部分である。
【００５３】
反射領域ＲＡは、第１発光領域ＰＸＡ−Ｒに隣接し、第１発光領域ＰＸＡ−Ｒから提供される光と類似した波長領域の光を提供する第１反射領域ＲＡ−Ｒ、及び第３発光領域ＰＸＡ−Ｂに隣接し、第３発光領域ＰＸＡ−Ｂから提供される光と類似した波長領域の光を提供する第２反射領域ＲＡ−Ｂのうち少なくとも一つを含む。
【００５４】
例えば、反射領域ＲＡは、第１反射領域ＲＡ−Ｒである赤色反射領域、及び第２反射領域ＲＡ−Ｂである青色反射領域を含んでもよい。
【００５５】
第１反射領域ＲＡ−Ｒは、第２方向軸ＤＲ２の方向に離隔されて整列された第１発光領域ＰＸＡ−Ｒの間に設けられる。また、第２反射領域ＲＡ−Ｂは、第２方向軸ＤＲ２の方向に離隔されて整列された第３発光領域ＰＸＡ−Ｂの間に設けられる。
【００５６】
つまり、図２を参照すると、本実施形態の表示装置ＤＳにおいて、第２方向軸ＤＲ２に沿って発光領域ＰＸＡ−Ｒ、ＰＸＡ−Ｇ、ＰＸＡ−Ｂ、遮光領域ＢＡ、反射領域ＲＡ−Ｒ、ＲＡ−Ｂ、及び遮光領域ＢＡが繰り返し配置される。
【００５７】
一方、図２では第２方向軸ＤＲ２の方向に第１発光領域ＰＸＡ−Ｒと第１反射領域ＲＡ−Ｒが一つずつ交差して設けられると示されているが、本実施形態はこれに限定されず、第１反射領域ＲＡ−Ｒの配置間隔は表示装置ＤＳで要求される反射色感を考慮して調節されてもよい。例えば、第１反射領域ＲＡ−Ｒの配置間隔は図２の図示に比べ、より長くてもよい。詳しくは、２つの第１発光領域ＰＸＡ−Ｒ、及び一つの第１反射領域ＲＡ−Ｒの順に配置されてもよい。しかし、本実施形態はこれに限定されない。
【００５８】
また、第３発光領域ＰＸＡ−Ｂ及び第２反射領域ＲＡ−Ｂに対しても、第１発光領域ＰＸＡ−Ｒ及び第１反射領域ＲＡ−Ｒの配列関係に関する説明と同じ内容が適用される。
【００５９】
本実施形態において、表示パネルＤＰは、ベース層ＢＬ、ベース層ＢＬの上に設けられる回路層ＤＰ−ＣＬ、及び表示素子層ＤＰ−ＯＥＬを含む。本実施形態において、ベース層ＢＬ、回路層ＤＰ−ＣＬ、及び表示素子層ＤＰ−ＯＥＬは、第３方向軸ＤＲ３の方向に順次に積層される。
【００６０】
ベース層ＢＬは、表示素子層ＥＰ−ＯＥＬが配置されるベース面を含む部材である。ベース層ＢＬは、ガラス基板、金属基板、プラスチック基板などである。しかし、本実施形態はこれに限定されず、ベース層ＢＬは無機層、有機層、または複合材料層であってもよい。
【００６１】
本実施形態において、回路層ＤＰ−ＣＬはベース層ＢＬの上に配置され、回路層ＤＰ−ＣＬは複数のトランジスタ（図示せず）を含む。トランジスタ（図示せず）は、それぞれ制御電極、入力電極、及び出力電極を含む。例えば、回路層ＤＰ−ＣＬは有機電界発光素子ＯＥＬを駆動するためのスイッチングトランジスタ及び駆動トランジスタを含んでもよい。
【００６２】
表示素子層ＤＰ−ＯＥＬは、有機電界発光素子ＯＥＬ及び封止層ＴＦＥを含む。有機電界発光素子ＯＥＬは、第１電極ＥＬ１、第１電極ＥＬ１の上に配置される正孔輸送領域ＨＴＲ、正孔輸送領域ＨＴＲの上に配置される発光層ＥＭＬ、発光層ＥＭＬの上に配置される電子輸送領域ＥＴＲ、及び電子輸送領域ＥＴＲの上に配置される第２電極ＥＬ２を含む。
【００６３】
封止層ＴＦＥは、有機発光素子ＯＥＬの上に配置される。封止層ＴＦＥは、有機発光素子ＯＥＬをカバーする。有機電界発光素子ＯＥＬは、封止層ＴＦＥによって密封される。
【００６４】
有機電界発光素子ＯＥＬを構成する第１電極ＥＬ１は導電性を有する。第１電極ＥＬ１は、金属合金または導電性化合物からなる。第１電極ＥＬ１はアノード（ａｎｏｄｅ)である。第１電極ＥＬ１は画素電極である。
【００６５】
本実施形態による有機電界発光素子ＯＥＬにおいて、第１電極ＥＬ１は反射型電極である。しかし、本実施形態はこれに限定されない。例えば、第１電極ＥＬ１は、透過型電極または半透過型電極であってもよい。第１電極ＥＬ１が半透過型電極または反射型電極であればよい。例えば、第１電極ＥＬ１はＡｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、またはこれらの化合物や混合物（例えば、ＡｇとＭｇの混合物）を含む。また、前記例示された物質からなる反射膜や半透過膜、及びＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）などからなる透明導電膜を含む複数の層構造であってもよい。例えば、第１電極ＥＬ１は多層金属膜であってもよく、ＩＴＯ／Ａｇ／ＩＴＯの金属膜が積層された構造であってもよい。
【００６６】
正孔輸送領域ＨＴＲは、単一物質からなる単一層、複数の互いに異なる物質からなる単一層、または複数の互いに異なる物質からなる複数の層を有する多層構造を有する。例えば、正孔輸送領域ＨＴＲは、複数の互いに異なる物質からなる単一層の構造を有するか、第１電極ＥＬ１から順番に積層された正孔注入層／正孔輸送層、正孔注入層／正孔輸送層／バッファ層、正孔注入層／バッファ層、正孔輸送層／バッファ層、または正孔注入層／正孔輸送層／電子阻止層の構造を有してもよいが、本実施形態はこれに限定されない。
【００６７】
例えば、正孔輸送領域ＨＴＲは正孔注入層及び正孔輸送層を含んでもよく、正孔注入層と正孔輸送層にはそれぞれ公知の正孔注入物質と公知の正孔輸送物質が使用されてもよい。
【００６８】
一方、正孔輸送領域ＨＴＲは、画素定義膜ＰＤＬに定義される開口部内で第１電極ＥＬ１の上に配置され、画素定義膜ＰＤＬの上部に延長されて配置される。しかし、本実施形態はこれに限定されず、正孔輸送領域ＨＴＲは画素定義膜ＰＤＬに定義される開口部の内部に配置されるようにパターニングされてもよい。
【００６９】
発光層ＥＭＬは正孔輸送領域ＨＴＲの上に設けれる。発光層ＥＭＬは、単一物質からなる単一層、複数の互いに異なる物質からなる単一層、または複数の互いに異なる物質からなる複数の層を有する多層構造を有する。
【００７０】
本実施形態の表示装置ＤＳにおいて、発光層ＥＭＬは青色光を放出する。発光層ＥＭＬは通常的に使用する物質であれば特に限定されず、蛍光物質またはりん光物質を含む。また、発光層ＥＭＬはホスト及びドーパントを含む。図３において、発光層ＥＭＬは第１発光領域乃至第３発光領域ＰＸＡ−Ｒ、ＰＸＡ−Ｇ、ＰＸＡ−Ｂの全体に共通層として設けられると示されている。しかし、本実施形態はこれに限定されず、図３の図示とは異なり、発光層ＥＭＬは画素定義膜ＰＤＬに定義される開口部内に配置されてもよい。例えば、発光層ＥＭＬが画素定義膜ＰＤＬによって区分されて設けられると、各発光領域ＰＸＡ−Ｒ、ＰＸＡ−Ｇ、ＰＸＡ−Ｂに対応する発光層ＥＭＬは同じ波長領域の光を放出するか、または異なる波長領域の光を放出してもよい。
【００７１】
電子輸送領域ＥＴＲは、発光層ＥＭＬの上に設けられる。電子輸送領域ＥＴＲは、正孔阻止層、電子輸送層、及び電子注入層のうち少なくとも一つを含むが、これに限定されない。
【００７２】
電子輸送領域ＥＴＲが電子注入層及び電子輸送層を含めば、電子注入層及び電子輸送層には、それぞれ公知の電子注入物質と公知の電子輸送物質が使用される。
【００７３】
第２電極ＥＬ２は、電子輸送領域ＥＴＲの上に設けられる。第２電極ＥＬ２は、共通電極またはカソードである。第２電極ＥＬ２は金属合金または導電性化合物からなる。第２電極ＥＬ２は、透過型電極、半透過型電極、または反射型電極である。第２電極層ＥＬ２が透過型電極であれば、第２電極層ＥＬ２透明金属酸化物、例えば、ＩＴＯ、ＩＺＯ、ＺｎＯ、ＩＴＺＯなどからなる。
【００７４】
第２電極ＥＬ２半透過型電極または反射型電極であれば、第２電極ＥＬ２はＡｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、またはこれらの化合物や混合物（例えば、ＡｇとＭｇの混合物）を含む。また、前記例示された物質で形成された反射膜や半透過膜、及びＩＴＯ、ＩＺＯ、ＺｎＯ、ＩＴＺＯなどからなる透明導電膜を含む複数の層構造である。
【００７５】
図３を参照すると、電子輸送領域ＥＴＲ及び第２電極ＥＬ２は、第１電極ＥＬ１と重畳する領域だけでなく、画素定義膜ＰＤＬの上に更に延長されて配置される。一方、図示は省略されるが、第２電極ＥＬ２は補助電極と接続される。第２電極ＥＬ２が補助電極と接続されると、第２電極ＥＬ２の抵抗を減少させることができる。
【００７６】
表示素子層ＤＰ−ＯＥＬは、複数個の有機電界発光素子ＯＥＬを含む。複数個の有機電界発光素子ＯＥＬは、画素定義膜ＰＤＬによって区分される。例えば、図３を参照すると、本実施形態において、表示素子層ＤＰ−ＯＥＬは平面上において互いに離隔された第１電極ＥＬ１を含み、離隔された第１電極ＥＬ１の間には画素定義膜ＰＤＬが設けられてもよい。つまり、図３に示した本発明の一実施形態による表示装置ＤＳにおいて、複数個の有機電界発光素子ＯＥＬは互いに離隔された第１電極ＥＬ１を基準に区分される。
【００７７】
本実施形態による表示パネルＤＰにおいて、発光領域ＰＸＡ−Ｒ、ＰＸＡ−Ｇ、ＰＸＡ−Ｂそれぞれは、画素定義膜ＰＤＬで区分される領域である。非発光領域ＮＰＸＡは隣り合う発光領域ＰＸＡ−Ｒ、ＰＸＡ−Ｇ、ＰＸＡ−Ｂの間の領域であって、画素定義膜ＰＤＬと対応する領域である。
【００７８】
画素定義膜ＰＤＬは高分子樹脂からなる。例えば、画素定義膜ＰＤＬは、ポリアクリレート系樹脂、またはポリイミド系樹脂を含んで形成される。また、画素定義膜ＰＤＬは、高分子樹脂以外に無機物を更に含んで形成される。一方、画素定義膜ＰＤＬは、光吸収物質を含んで形成されるか、ブラック顔料またはブラック染料を含んで形成される。ブラック顔料またはブラック染料を含んで形成される画素定義膜ＰＤＬは、ブラック画素定義膜を具現する。画素定義膜ＰＤＬを形成する際、ブラック顔料またはブラック染料としてはカーボンブラックなどを使用してもよいが、本実施形態はこれに限定されない。
【００７９】
また、画素定義膜ＰＤＬは無機物からなる。例えば、画素定義膜ＰＤＬは、窒化ケイ素（ＳｉＮｘ）、酸化ケイ素（ＳｉＯｘ）、窒酸化ケイ素（ＳｉＯｘＮｙ）などを含んで柄形成されてもよい。画素定義膜ＰＤＬは、発光領域ＰＸＡ−Ｒ、ＰＸＡ−Ｇ、ＰＸＡ−Ｂを定義する。画素定義膜ＰＤＬによって発光領域ＰＸＡ−Ｒ、ＰＸＡ−Ｇ、ＰＸＡ−Ｂと非発光領域ＮＰＸＡが区分される。
【００８０】
有機電界発光素子ＯＥＬの上には封止層ＴＦＥが配置されるが、封止層ＴＦＥは第２電極ＥＬ２の上に配置される。封止層ＴＦＥは、第２電極ＥＬ２の上に直接配置される。封止層ＴＦＥは、一つのサブ層または複数のサブ層が積層される。封止層ＴＦＥは薄膜封止層である。封止層ＴＦＥは、有機電界発光素子ＯＥＬを保護する。封止層ＴＦＥは、第２電極ＥＬ２の上部面をカバーする。
【００８１】
表示パネルＤＰの上には、色変換層ＣＣＬが配置される。色変換層ＣＣＬは光変換体を含む。光変換体は量子ドットまたは蛍光体などである。光変換体は、提供された光を波長変換して放出する。つまり、色変換層ＣＣＬは量子ドットを含む層であるか、または蛍光体を含む層である。
【００８２】
色変換層ＣＣＬは、複数個の色変換部ＣＣＬ１、ＣＣＬ２、ＣＣＬ３を含む。色変換部部ＣＣＬ１、ＣＣＬ２、ＣＣＬ３互いに離隔される。
【００８３】
図３を参照すると、互いに離隔された色変換部ＣＣＬ１、ＣＣＬ２、ＣＣＬ３の間に遮光部ＢＭが設けられるが、本実施形態はこれに限定されない。図３において、遮光部ＢＭは色変換部ＣＣＬ１、ＣＣＬ２、ＣＣＬ３と非重畳と示されているが、色変換部ＣＣＬ１、ＣＣＬ２、ＣＣＬ３のエッジは遮光部ＢＭと少なくとも一部が重畳する。
【００８４】
色変換層ＣＣＬは表示パネルＤＰの上に配置されるが、例えば、色変換層ＣＣＬは封止層ＴＦＥの上に直接配置されてもよい。しかし、本実施形態はこれに限定されず、封止層ＴＦＥと色変換層ＣＣＬとの間にバリア層（図示せず）が更に配置されてもよい。
【００８５】
バリア層（図示せず）は、水分及び／または酸素（以下、「水分／酸素」と称する）の浸透を防ぐ役割をする。バリア層（図示せず）は色変換層ＣＣＬの上に配置され、色変換層ＣＣＬが水分／酸素に露出されることを遮断する。一方、バリア層（図示せず）は色変換層ＣＣＬをカバーする。また、バリア層（図示せず）は、色変換層ＣＣＬとカラーフィルター層ＣＦＬとの間に設けられる。
【００８６】
バリア層（図示せず）は、少なくとも一つの無機層を含む。つまり、バリア層（図示せず）は無機物質を含んで形成される。例えば、バリア層（図示せず）は、シリコン窒化物、アルミニウム窒化物、ジルコニウム窒化物、チタン窒化物、ハフニウム窒化物、タンタル窒化物、シリコン酸化物、アルミニウム酸化物、チタン酸化物、錫酸化物、セリウム酸化物、及びシリコン酸窒化物や、光透過率が確保された金属薄膜などを含んで形成されてもよい。一方、バリア層（図示せず）は有機膜を更に含む。バリア層（図示せず）は、単一層または複数の層からなる。
【００８７】
色変換層ＣＣＬは、有機電界発光素子ＯＥＬから提供される第１色光を第２色光に変換する第１量子ドットＱＤ１を含む第１色変換部ＣＣＬ１、第１色光を第３色光に変換する第２量子ドットＱＤ２を含む第２色変換部ＣＣＬ１、及び第１色光を透過させる第３色変換部ＣＣＬ３を含む。
【００８８】
本実施形態において、第１色変換部ＣＣＬ１は第２色光である赤色光を提供し、第２色変換部ＣＣＬ２は第３色光である緑色光を提供する。第３色変換部ＣＣＬ３は、有機電界発光素子ＯＥＬから提供された第１色光である青色光を透過させて提供する。例えば、第１量子ドットＱＤ１は赤色量子ドットであり、第２量子ドットＱＤ２は緑色量子ドットであってもよい。
【００８９】
量子ドット（Ｑｕａｎｔｕｍ  Ｄｏｔ）は、光源パネルＤＰから提供された光の波長を変換する粒子である。量子ドットは数ナノメートルサイズの結晶構造を有する物質で、数百から数千個程度の原子からなり、小さいサイズのため、エネルギーバンドギャップ（ｂａｎｄ  ｇａｐ）が大きくなる量子閉じ込め（Ｑｕａｎｔｕｍ  ｃｏｎｆｉｎｅｍｅｎｔ）効果を示す。量子ドットにバンドギャップよりエネルギーが高い波長の光が入射すれば、量子ドットはその光を吸収して浮いた状態になり、特定波長の光を放出しながら底状態に落ちる。放出された波長の光は、バンドギャップに当たる値を有する。量子ドットはそのサイズと組成などを調節すれば、量子閉じ込め効果による発光特性を調節することができる。量子ドットは粒子サイズによって放出する光の色相が変化するが、量子ドットの粒子サイズが小さいほど短波長領域の光を発光する。例えば、緑色光を放出する量子ドットの粒子サイズは、赤色光を放出する量子ドットの粒子サイズより小さくてもよい。
【００９０】
量子ドットはＩＩ−ＶＩ族化合物、ＩＩＩ−Ｖ族化合物、ＩＶ−ＶＩ族化合物、ＩＶ族元素、ＩＶ族化合物、及びこれらの組み合わせから選択される。
【００９１】
ＩＩ−ＶＩ族化合物は、ＣｄＳｅ、ＣｄＴｅ、ＺｎＳ、ＺｎＳｅ、ＺｎＴｅ、ＺｎＯ、ＨｇＳ、ＨｇＳｅ、ＨｅＴｅ、ＭｇＳｅ、ＭｇＳ、及びこれらの混合物からなる群より選択される二元化合物、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｅＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｅＺｎＳｅ、ＨｅＺｎＴｅ、ＭｇＺｎＳｅ、ＭｇＺｎＳ、及びこれらの混合物からなる群より選択される三元化合物、及びＨｇＺｎＴｅＳ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、及びこれらの混合物からなる群より選択される四元化合物からなる群より選択される。
【００９２】
ＩＩＩ−Ｖ族化合物は、ＧａＮ、ＧａＰ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、及びこれらの混合物からなる群より選択される二元化合物、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、及びこれらの混合物からなる群より選択される三元化合物、及びＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ、及びこれらの混合物からなる群より選択される四元化合物からなる群より選択される。ＩＶ−ＶＩ族化合物は、ＳｎＳ、ＳｎＳｅ、ＳｎＴｅ、ＰｂＳ、ＰｂＳｅ、ＰｂＴｅ、及びこれらの混合物からなる群より選択される二元化合物、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、及びこれらの混合物からなる群より選択される三元化合物、及びＳｎＰｂＳＳｅ、ＳｎＰｂＳｅＴｅ、ＳｎＰｂＳＴｅ、及びこれらの混合物からなる群より選択される四元化合物からなる群より選択される。ＩＶ族元素は、Ｓｉ、Ｇｅ、及びこれらの混合物からなる群より選択される。ＩＶ族元素は、ＳｉＣ、ＳｉＧｅ、及びこれらの混合物からなる群より選択される二元化合物である。
【００９３】
この際、二元化合物、三元化合物、または四元化合物は均一な濃度で粒子内に存在するか、濃度分布が部分的に異なる状態に分けられて同一粒子内に存在する。
【００９４】
量子ドットはコア（ｃｏｒｅ）コアを囲むシェル（ｓｈｅｌｌ）を含むコアシェル構造である。また、一つの量子ドットが他の量子ドットを囲むコア／シェル構造を有する。コアとシェルの界面は、シェルに存在する元素の濃度が中心に行くほど低くなる濃度勾配（ｇｒａｄｉｅｎｔ）を有する。
【００９５】
量子ドットは、ナノメータスケールのサイズを有する粒子である。量子ドットは約４５ｎｍ以下、好ましくは約４０ｎｍ以下、より好ましくは約３０ｎｍ以下の発光波長スペクトルの半値幅（ｆｕｌｌ  ｗｉｄｔｈ  ｏｆ  ｈａｌｆ  ｍａｘｉｍｕｍ、ＦＷＨＭ）を有し、この範囲で色純度や色再現性を向上させることができる。また、このような量子ドットを介して発光される光は全方向に放出されるため、光視野角が向上される。
【００９６】
また、量子ドットの形態は当分野で一般的に使用する形態のものであって特に限定されないが、より詳しくは、球状、ピラミッド状、多腕（ｍｕｌｔｉ−ａｒｍ）状、立方体（ｃｕｂｉｃ）のナノ粒子、ナノチューブ、ナノワイヤ、ナノ繊維、ナノ板状粒子などの形態のものを使用する。
【００９７】
第１色変換部ＣＣＬ１は、マトリックス部ＭＸと、マトリックス部ＭＸに分散された第１量子ドットＱＤ１を含む。第１色変換部ＣＣＬ１は、マトリックス部ＭＸに分散された散乱剤ＳＰを更に含む。第２色変換部ＣＣＬ２は、マトリックス部ＭＸと、マトリックス部ＭＸに分散された第２量子ドットＱＤ２を含み、散乱剤ＳＰを更に含む。また、第３色変換部ＣＣＬ３は、マトリックス部ＭＸ及び散乱剤ＳＰを含む。
【００９８】
マトリックス部ＭＸは量子ドットＱＤ１、ＱＤ２または散乱剤ＳＰが分散された媒質であって、一般にバインダーと称される多様な樹脂組成物からなる。マトリックス部ＭＸは高分子樹脂組成物からなる。例えば、マトリックス部ＭＸを形成する高分子樹脂組成物は、アクリル系樹脂、ウレタン系樹脂、シリコン系樹脂、エポキシ系樹脂などを含んでもよい。高分子樹脂組成物は透明である。
【００９９】
散乱剤ＳＰは無機粒子である。例えば、散乱剤ＳＰは、ＴｉＯ2、ＺｎＯ、Ａｌ2Ｏ3、ＳｉＯ2、及び中空シリカのうち少なくとも一つを含んでもよい。散乱剤ＳＰは、ＴｉＯ2、ＺｎＯ、Ａｌ2Ｏ3、ＳｉＯ2、及び中空シリカのうち少なくともいずれか一つを含むか、ＴｉＯ2、ＺｎＯ、Ａｌ2Ｏ3、ＳｉＯ2、及び中空シリカのうちから選択される２種以上の物質が混合されたものである。
【０１００】
第１色変換部ＣＣＬ１は第１発光領域ＰＸＡ−Ｒに対応し、第２色変換部ＣＣＬ２は第２発光領域ＰＸＡ−Ｇに対応し、第３色変換部ＣＣＬ３は第３発光領域ＰＸＡ−Ｂに対応する。
【０１０１】
本実施形態の表示装置ＤＳにおいて、カラーフィルター層ＣＦＬは色変換層ＣＣＬの上に配置される。例えば、カラーフィルター層ＣＦＬは色変換層ＣＣＬの上に直接配置されてもよい。しかし、本実施形態はこれに限定されず、色変換層ＣＣＬとカラーフィルター層ＣＦＬとの間にバリア層（図示せず）が更に設けられてもよい。バリア層は無機層を含む。
【０１０２】
カラーフィルター層ＣＦＬは複数個のフィルターを含む。カラーフィルターＣＦＬは、第２色光を透過させる第１フィルターＣＦ１、第３色光を透過させる第２フィルターＣＦ２、及び第１色光を透過させる第３フィルターＣＦ３を含む。例えば、第１フィルターＣＦ１は赤色フィルター、第２フィルターＣＦ２は緑色フィルターで、第３フィルターＣＦ３は青色フィルターであってもよい。
【０１０３】
フィルターＣＦ１、ＣＦ２、ＣＦ３それぞれは、高分子感光樹脂と顔料または染料を含む。第１フィルターＣＦ１は赤色の顔料または染料を含み、第２フィルターＣＦ２は緑色の顔料または染料を含み、第３フィルターＣＦ３は青色の顔料または染料を含む。
【０１０４】
一方、本実施形態はこれに限定されず、第３フィルターＣＦ３は顔料または染料を含まなくてもよい。第３フィルターＣＦ３は高分子感光樹脂を含み、顔料または染料を含まなくてもよい。第３フィルターＣＦ３は透明であってもよい。第３フィルターＣＦ３は透明な感光樹脂からなってもよい。
【０１０５】
本実施形態の表示装置ＤＳは、表示パネルＤＰの上に配置される遮光層ＢＭＬを含む。遮光層ＢＭＬには、メイン開口部ＯＨ−Ｍ及びサブ開口部ＯＨ−Ｓが定義される。遮光層ＢＭＬは、遮光部ＢＭ、メイン開口部ＯＨ−Ｍ、及びサブ開口部ＯＨ−Ｓを含む。メイン開口部ＯＨ−Ｍらの間、メイン開口部ＯＨ−Ｍとサブ開口部ＯＨ−Ｓとの間、及びサブ開口部ＯＨ−Ｓらの間には遮光部ＢＭが設けられる。
【０１０６】
遮光部ＢＭはブラックマトリクスである。遮光部ＢＭは、ブラック顔料または染料を含む有機遮光物質または無機遮光物質を含んで形成される。遮光部ＢＭは光漏れ現象を防止し、隣接する色変換部ＣＣＬ１、ＣＣＬ２、ＣＣＬ３の間の境界を区分するか、または隣接するフィルターＣＦ１、ＣＦ２、ＣＦ３の間の境界に重畳する。
【０１０７】
メイン開口部ＯＨ−Ｍは発光領域ＰＸＡに対応して定義される。メイン開口部ＯＨ−Ｍは、第１乃至第３発光領域ＰＸＡ−Ｒ、ＰＸＡ−Ｇ、ＰＸＡ−Ｂそれぞれに対応して定義される。サブ開口部ＯＨ−Ｓは非発光領域ＮＰＸＡに対応して定義される。サブ開口部ＯＨ−Ｓは、第１乃至第２反射領域ＲＡ−Ｒ、ＲＡ−Ｂに対応して定義される。
【０１０８】
カラーフィルター層ＣＦＬの上にはベース基板ＢＳが配置される。ベース基板ＢＳは、カラーフィルター層ＣＦＬ、遮光層ＢＭＬ、及び色変換部ＣＣＬなどが配置されるベース面を含む部材である。ベース基板ＢＳは、ガラス基板、金属基板、プラスチック基板などである。しかし、本発明の一実施形態はこれに限定されず、ベース基板ＢＳは無機層、有機層、または複合材料層であってもよい。
【０１０９】
図４は、本発明の一実施形態の表示装置ＤＳの一部分に対する断面図を示す。図４は、図２に示した本発明の一実施形態の表示装置DSにおいて、第１発光領域ＰＸＡ−Ｒ及びそれに隣接する第１反射領域ＲＡ−Ｒを含む部分の断面を示す。
【０１１０】
遮光層ＢＭＬのメイン開口部ＯＨ−Ｍによって定義される領域であるメイン露出領域ＯＰＡ−Ｍは、第１乃至第３発光領域ＰＸＡ−Ｒ、ＰＸＡ−Ｇ、ＰＸＡ−Ｂそれぞれに対応する領域である。遮光層ＢＭＬのサブ開口部ＯＨ−Ｓによって定義されるサブ露出領域ＯＰＡ−Ｓは、反射領域ＲＡに対応する領域である。
【０１１１】
図４を参照すると、メイン開口部ＯＨ−Ｍは第１発光領域ＰＸＡ−Ｒに対応して定義され、サブ開口部ＯＨ−Ｓは第１反射領域ＲＡ−Ｒに対応して定義される。
【０１１２】
第１フィルターＣＦ１は、第１色変換部ＣＣＬ１及び遮光層ＢＭＬの上に設けられる。第１フィルターＣＦ１は、第１メインフィルター部ＣＦ１−Ｍ、第１遮光フィルター部ＣＦ１−Ｂ、及び第１サブフィルター部ＣＦ１−Ｓを含む。
【０１１３】
第１メインフィルター部ＣＦ１−Ｍは第１発光領域ＰＸＡ−Ｒに対応して配置され、第１サブフィルター部ＣＦ１−Ｓ及び第１遮光フィルター部ＣＦ１−Ｂは非発光領域ＮＰＸＡに対応して配置される。第１メインフィルター部ＣＦ１−Ｍはメイン開口部ＯＨ−Ｍに対応する部分であり、第１サブフィルター部ＣＦ１−Ｓはサブ開口部ＯＨ−Ｓに対応する部分である。また、第１遮光フィルター部ＣＦ１−Ｂは非発光領域ＮＰＸＡに配置され、サブ開口部ＯＨ−Ｓと非重畳の部分である。一方、図４では第１発光領域ＰＸＡ−Ｒ及び第１反射領域ＲＡ−Ｒを含む非発光領域ＮＰＸＡの断面を例示的に示しているが、これは第３発光領域ＰＸＡ−Ｂ及び第２反射領域ＲＡ−Ｂを含む非発光領域ＮＰＸＡに対しても同じく適用される。
【０１１４】
図５は、図２のＡＡ領域に対応する表示装置の一部分を示す平面図である。図５は、図３に示した本発明の一実施形態の表示装置ＤＳにおいて、カラーフィルター層ＣＦＬ及び遮光層ＢＭＬを含む一部分に対する平面図を示す。
【０１１５】
図５を参照すると、遮光層ＢＭＬにはメイン開口部ＯＨ−Ｍ及びサブ開口部ＯＨ−Ｓが定義される。メイン開口部ＯＨ−Ｍ及びサブ開口部ＯＨ−Ｓが定義されていない残りの部分は遮光部ＢＭである。
【０１１６】
第１方向軸ＤＲ１及び第２方向軸ＤＲ２が定義する平面上から見ると、メイン開口部ＯＨ−Ｍではメインフィルター部ＣＦ１−Ｍ、ＣＦ２−Ｍ、ＣＦ３−Ｍが露出され、サブ開口部ＯＨ−Ｓではサブフィルター部ＣＦ１−Ｓ、ＣＦ３−Ｓが露出される。一方、本明細書において、フィルター部が露出されるとは、フィルター部が遮光部ＢＭと非重畳であることを意味する。
【０１１７】
第１サブフィルター部ＣＦ１−Ｓの面積は、第１メインフィルター部ＣＦ１−Ｍ、第１遮光フィルター部ＣＦ１−Ｂ、及び第１サブフィルター部ＣＦ１−Ｓの全体の面積に対して０％より大きく１０％以下である。本実施形態の表示装置ＤＳにおいて、非発光領域ＮＰＸＡで露出される第１フィルターＣＦ１の面積を全体の表示領域ＤＡの面積１００％に対して０％より大きく１０％以下に調節して、本実施形態の表示装置ＤＳにおける反射色感を改善する。
【０１１８】
また、第３サブフィルター部ＣＦ３−Ｓの面積は、第３メインフィルター部ＣＦ３−Ｍ、第３遮光フィルター部ＣＦ３−Ｂ、及び第３サブフィルター部ＣＦ３−Ｓの全体の面積に対して０％より大きく１０％以下である。本実施形態の表示装置ＤＳにおいて、非発光領域ＮＰＸＡで露出される第３フィルターＣＦ３の面積を０％より大きく１０％以下に調節して、本実施形態の表示装置ＤＳで反射色感を改善する。
【０１１９】
図６は、図２のＩＩＩ−ＩＩＩ’線に対応する部分を示す断面図である。図６は、表示装置ＤＳの一部を示す断面図である。図６の断面図においては、表示装置ＤＳの一部分を示しながら、説明の便宜上、表示パネルＤＰの構成を省略して示している。
【０１２０】
本実施形態の表示装置ＤＳにおいて、色変換層ＣＣＬは、第１発光領域ＰＸＡ−Ｒに対応して配置される第１色変換部ＣＣＬ１、第２発光領域ＰＸＡ−Ｇに対応して配置される第２色変換部ＣＣＬ２、及び第３発光領域ＰＸＡ−Ｂに対応して配置される第３色変換部ＣＣＬ３を含む。隣り合う色変換部ＣＣＬ１、ＣＣＬ２、ＣＣＬ３の間には遮光部ＢＭが配置される。
【０１２１】
色変換部ＣＣＬの上にはカラーフィルター層ＣＦＬが配置される。カラーフィルター層ＣＦＬは第１フィルター乃至第３フィルターＣＦ１、ＣＦ２、ＣＦ３を含む。隣り合うフィルターＣＦ１、ＣＦ２、ＣＦ３の間の境界は遮光部ＢＭと重畳する。
【０１２２】
第１フィルターＣＦ１は第１メインフィルター部ＣＦ１−Ｍ、第１メインフィルター部ＣＦ１−Ｍに隣接する第１遮光フィルター部ＣＦ１−Ｂ、及び第１メインフィルター部ＣＦ１−Ｍと離隔された第１サブフィルター部ＣＦ１−Ｓを含む。第３フィルターＣＦ３は第３メインフィルター部ＣＦ３−Ｍ、第３メインフィルター部ＣＦ３−Ｍに隣接する第３遮光フィルター部ＣＦ３−Ｂ、及び第３メインフィルター部ＣＦ３−Ｍと離隔された第３サブフィルター部ＣＦ３−Ｓを含む。
【０１２３】
第２フィルターＣＦ２は、第２メインフィルター部ＣＦ２−Ｍ、及び第２遮光フィルター部ＣＦ２−Ｂを含む。第２遮光フィルター部ＣＦ２−Ｂは、第２メインフィルター部ＣＦ２−Ｍに隣接して配置される。第２フィルターＣＦ２はサブフィルター部を含まない。
【０１２４】
第１メインフィルター部ＣＦ１−Ｍ、第２メインフィルター部ＣＦ２−Ｍ、及び第３メインフィルター部ＣＦ３−Ｍは、それぞれ第１発光領域ＰＸＡ−Ｒ、第２発光領域ＰＸＡ−Ｇ、及び第３発光領域ＰＸＡ−Ｂに対応する部分である。第１サブフィルター部ＣＦ１−Ｓ及び第３サブフィルター部ＣＦ３−Ｓは、第１反射領域ＲＡ−Ｒ及び第２反射領域ＲＡ−Ｂに対応する部分である。
【０１２５】
遮光層ＢＭＬは、遮光部ＢＭ、メイン開口部ＯＨ−Ｍ、及びサブ開口部ＯＨ−Ｓを含む。遮光部ＢＭは、カラーフィルター層ＣＦＬの遮光フィルター部ＣＦ１−Ｂ、ＣＦ２−Ｂ、ＣＦ３−Ｂと重畳する。遮光部ＢＭは、カラーフィルター層ＣＦＬのメインフィルター部ＣＦ１−Ｍ、ＣＦ２−Ｍ、ＣＦ３−Ｍ、及びサブフィルター部ＣＦ１−Ｓ、ＣＦ３−Ｓと非重畳である。
【０１２６】
図７は、比較例及び本実施形態（実施例）に対する波長別反射率の評価結果を示すグラフである。図７において、本実施形態（実施例）は図６に示した断面図の構造を有する本発明の一実施形態の表示装置ＤＳに対する評価結果であり、比較例は図６に示した本発明の一実施形態の表示装置ＤＳとは異なって、遮光層ＢＭＬにサブ開口部ＯＨ−Ｓが定義されていない場合に対する評価結果である。
【０１２７】
図７のグラフを参照すると、本実施形態（実施例）の場合４５０ｎｍ付近の波長領域、及び６５０ｎｍ付近の波長領域で比較例に比べ高い反射率を示している。つまり、図７の結果を参照すると、本実施形態（実施例）の場合、比較例に比べ４５０ｎｍ付近の青色発光領域及び６５０ｎｍ付近の赤色発光領域における反射度が増加しており、比較例の表示装置に比べ黄色がかった反射色感が改善されていることが分かる。
【０１２８】
表１は、本実施形態（実施例）及び比較例の表示装置に対する表示品質を比べた結果を示す。
【０１２９】
【表１】
2020109757.tif 000003
【０１３０】
表１において、発光領域の面積比は、発光領域ＰＸＡ−Ｒ、ＰＸＡ−Ｇ、ＰＸＡ−Ｂ、及び非発光領域ＮＰＸＡを含む表示領域ＤＡ（図２）の全体の面積を１００％にする際の各発光領域それぞれの面積比を示す。また、非発光領域面積比は、非発光領域ＮＰＸＡで露出されるフィルターＣＦ１、ＣＦ３の面積の割合を示す。つまり、非発光領域面積比は、発光領域ＰＸＡ−Ｒ、ＰＸＡ−Ｇ、ＰＸＡ−Ｂ、及び非発光領域ＮＰＸＡを含む表示領域ＤＡ（図２）の全体の面積を１００％にする際、サブ開口部ＯＨ−Ｓによって露出されるフィルターの領域である反射領域ＲＡ−Ｒ、ＲＡ−Ｂそれぞれの面積比を示す。
【０１３１】
一方、本実施形態（実施例）の場合、比較例に比べ反射率がわずかに増加し、比較例に比べ本実施形態（実施例）の表示装置は、第１反射領域ＲＡ−Ｒ及び第２反射領域ＲＡ−Ｂの面積が増加されて反射色感を示すＳＣＥ色座標（ｘ、ｙ）が（０．３０５、０．３８１）から（０．２９５、０．３１３）に変化することで、黄色がかった反射光からニュートラルな色感を有する反射光に変化していることが分かる。
【０１３２】
つまり、本実施形態の表示装置ＤＳは、非発光領域に対応して遮光層に定義されるサブ開口部によって非発光領域で色フィルターの一部が露出されることで、露出された色フィルターで反射した光によって外部光による反射色感が改善される効果を奏する。また、表示パネルにおける有機電界発光素子の駆動方法を変化させずに露出される色フィルターの面積を調節することで、表示装置の表示品質を改善する。
【０１３３】
以下、図８乃至図１９の図面を参照して、本実施形態の表示装置について説明する。図８及び図１９における本発明の一実施形態の表示装置に関する説明において、上述した図１乃至図６で説明した内容と重複する内容は再度説明せず、異なる内容を中心に説明する。
【０１３４】
図８は本発明の一実施形態の表示装置ＤＳ−ａを示す断面図であり、図９は本発明の一実施形態の表示装置に対する一部を示す平面図であり、図１０は本発明の一実施形態の表示装置の一部分を示す断面図である。
【０１３５】
図８は、図３に示した本発明の一実施形態の表示装置ＤＳの断面に対応する部分に対する本実施形態の表示装置ＤＡ−ａを示す断面図である。図８に示した本発明の一実施形態の表示装置ＤＳ−ａは、表示パネルＤＰ、表示パネルＤＰの上に配置される色変換層ＣＣＬ、表示パネルＤＰの上に配置される遮光層ＢＭＬ、及び色変換層ＣＣＬの上に配置されるカラーフィルター層ＣＦＬ−ａを含む。
【０１３６】
図８に示した本発明の一実施形態による表示装置ＤＳ−ａにおいて、表示パネルＤＰ、色変換部ＣＣＬ、及び遮光層ＢＭＬに関しては、上述した図３に示した内容と同じ内容が適用される。本実施形態による表示装置ＤＳ−ａにおいて、色変換部ＣＣＬは第１乃至第３色変換部ＣＣＬ１、ＣＣＬ２、ＣＣＬ３を含む。
【０１３７】
本実施形態において、カラーフィルター層ＣＦＬ−ａは第３フィルターＣＦ３及び第４フィルターＣＦ４を含む。第３フィルターＣＦ３は第３色変換部ＣＣＬ３と重畳し、第４フィルターＣＦ４は第１色変換部ＣＣＬ１及び第２色変換部ＣＣＬ２と重畳する。
【０１３８】
第３フィルターＣＦ３は第１色光である青色光を透過させる。第３フィルターＣＦ３は青色顔料を含む。また、これとは異なって、第３メインフィルター部ＣＦ３−Ｍは透明フィルターであってもよい。
【０１３９】
第４フィルターＣＦ４は第４色光を透過させる。第４色光は黄色光である。つまり、第４フィルターＣＦ４は黄色フィルター（ｙｅｌｌｏｗ  ｆｉｌｔｅｒ）である。第４フィルターＣＦ４は第１色変換部ＣＣＬ１及び第２色変換部ＣＣＬ２と重畳し、一体に設けられる。
【０１４０】
図９は、図８に示した本発明の一実施形態による表示装置ＤＳ−ａの一部分を示す平面図である。図９は、図５に示した本発明の一実施形態の表示装置ＤＳの一部分に対応する本実施形態の表示装置ＤＡ−ａの一部ＡＡ−ａを示す平面図である。
【０１４１】
図９を参照すると、遮光層ＢＭＬにはメイン開口部ＯＨ−Ｍ及びサブ開口部ＯＨ−Ｓが定義される。第１方向軸ＤＲ１及び第２方向軸ＤＲ２が定義する平面上から見ると、メイン開口部ＯＨ−Ｍではメインフィルター部ＣＦ４−ＲＭ、ＣＦ４−ＧＭ、ＣＦ３−Ｍが露出され、サブ開口部ＯＨ−Ｓではサブフィルター部ＣＦ４−Ｓ、ＣＦ３−Ｓが露出される。
【０１４２】
遮光部ＢＭに非重畳で、メイン開口部ＯＨ−Ｍで露出される第４メインフィルター部ＣＦ４−ＲＭ、ＣＦ４−ＧＭは黄色フィルターである。遮光部ＢＭに非重畳で、メイン開口部ＯＨ−Ｍで露出される第３メインフィルター部ＣＦ３−Ｍは青色フィルターである。
【０１４３】
また、遮光部ＢＭに非重畳で、サブ開口部ＯＨ−Ｓで露出される第４サブフィルター部ＣＦ４−Ｓは黄色フィルターで、遮光部ＢＭに非重畳で、サブ開口部ＯＨ−Ｓで露出される第３サブフィルター部ＣＦ３−Ｓは青色フィルターである。
【０１４４】
図１０は、図８に示した本発明の一実施形態による表示装置ＤＳ−ａの一部分を示す断面図である。図１０は、図６に示した本発明の一実施形態の表示装置ＤＳに対応する本実施形態の表示装置ＤＳ−ａの一部を示す断面図である。図１０の断面図においては、表示装置ＤＳ−ａの一部分を示しながら、説明の便宜上、表示パネルＤＰの構成を省略して示している。
【０１４５】
図１０に示した本実施形態の表示装置ＤＳ−ａは、上述した図６に示した本実施形態の表示装置ＤＳに比べ、カラーフィルター層ＣＦＬ−ａの構成に差がある。図１０を参照すると、第４フィルターＣＦ４は第４メインフィルター部ＣＦ４−ＲＭ、ＣＦ４−ＧＭ、第４メインフィルター部ＣＦ４−ＲＭ、ＣＦ４−ＧＭに隣接する第４遮光フィルター部ＣＦ４−Ｂ、及び第４メインフィルター部ＣＦ４−ＲＭと離隔された第４サブフィルター部ＣＦ４−Ｓを含む。
【０１４６】
第４メインフィルター部ＣＦ４−ＲＭ、ＣＦ４−ＧＭは、第１発光領域ＰＸＡ−Ｒ及び第２発光領域ＰＸＡ−Ｇに対応する部分である。第４サブフィルター部ＣＦ４−Ｓは、遮光層ＢＭＬに定義されるサブ開口部ＯＨ−Ｓに対応する部分である。
【０１４７】
図１０に示した本発明の一実施形態の表示装置ＤＳ−ａにおいて、第３フィルターＣＦ３は第３メインフィルター部ＣＦ３−Ｍ、第３メインフィルター部ＣＦ３−Ｍに隣接する第３遮光フィルター部ＣＦ３−Ｂ、及び第３メインフィルター部ＣＦ３−Ｍと離隔された第３サブフィルター部ＣＦ３−Ｓを含む。第３メインフィルター部ＣＦ３−Ｍは、第３発光領域ＰＸＡ−Ｂに対応する部分である。第３サブフィルター部ＣＦ３−Ｓは、遮光層ＢＭＬに定義されるサブ開口部ＯＨ−Ｓに対応する部分である。
【０１４８】
一方、図１０に示した本発明の一実施形態の表示装置ＤＳ−ａにおいて、色変換部ＣＣＬ１、ＣＣＬ２、ＣＣＬ３に対しては、上述した図６で説明した本発明の一実施形態の表示装置ＤＳで説明した内容と同じ内容が適用される。
【０１４９】
図１１は本発明の一実施形態の表示装置ＤＳ−ｂを示す断面図であり、図１２及び図１３はそれぞれ本発明の一実施形態の表示装置ＤＳ−ｂに対する一部分を示す断面図である。一方、図１３の断面図においては、表示装置ＤＳ−ｂの一部分を示しながら、説明の便宜上、表示パネルＤＰの構成を省略して示している。
【０１５０】
図１１乃至図１３に示した本発明の一実施形態の表示装置ＤＳ−ｂは、表示パネルＤＰ、表示パネルＤＰの上に配置される色変換層ＣＣＬ、表示パネルＤＰの上に配置される遮光層ＢＭＬ、及び色変換層ＣＣＬの上に配置されるカラーフィルター層ＣＦＬを含む。一方、本実施形態の表示装置ＤＳ−ｂにおいて、遮光層ＢＭＬは色変換部ＣＣＬの上側に設けられる。つまり、図３乃至図６で説明した本発明の一実施形態の表示装置ＤＳに比べ、図１１乃至図１３に示した本実施形態の表示装置ＤＳ−ｂにおいては、遮光層ＢＭＬがベース基板ＢＳに隣接して配置されていることに差がある。遮光層ＢＭＬの遮光部ＢＭは、フィルターＣＦ１、ＣＦ２、ＣＦ３の間に配置される。また、遮光層ＢＭＬはカラーフィルター層ＣＦＬでカバーされる。
【０１５１】
図１２及び図１３の断面図を参照すると、本実施形態の表示装置ＤＳ−ｂにおいて、色変換部ＣＣＬは表示パネルＤＰの上側に配置され、カラーフィルター層ＣＦＬは色変換部ＣＣＬの上側に配置され、遮光層ＢＭＬはカラーフィルター層ＣＦＬの上側に配置される。
【０１５２】
本実施形態の表示装置ＤＳ−ｂにおいて、色変換層ＣＣＬは、第１発光領域ＰＸＡ−Ｒに対応して配置される第１色変換部ＣＣＬ１、第２発光領域ＰＸＡ−Ｇに対応して配置される第２色変換部ＣＣＬ２、及び第３発光領域ＰＸＡ−Ｂに対応して配置される第３色変換部ＣＣＬ３を含む。
【０１５３】
色変換層ＣＣＬの上にはカラーフィルター層ＣＦＬが配置される。カラーフィルター層ＣＦＬは第１フィルター乃至第３フィルターＣＦ１、ＣＦ２、ＣＦ３を含む。隣り合うフィルターＣＦ１、ＣＦ２、ＣＦ３の間の境界は遮光部ＢＭと重畳する。
【０１５４】
第１フィルターＣＦ１は第１メインフィルター部ＣＦ１−Ｍ、第１メインフィルター部ＣＦ１−Ｍに隣接する第１遮光フィルター部ＣＦ１−Ｂ、及び第１メインフィルター部ＣＦ１−Ｍと離隔された第１サブフィルター部ＣＦ１−Ｓを含む。第３フィルターＣＦ３は第３メインフィルター部ＣＦ３−Ｍ、第３メインフィルター部ＣＦ３−Ｍに隣接する第３遮光フィルター部ＣＦ３−Ｂ、及び第３メインフィルター部ＣＦ３−Ｍと離隔された第３サブフィルター部ＣＦ３−Ｓを含む。
【０１５５】
一方、第２フィルターＣＦ２は、第２メインフィルター部ＣＦ２−Ｍ、及び第２遮光フィルター部ＣＦ２−Ｂを含む。第２遮光フィルター部ＣＦ２は、第２メインフィルター部ＣＦ２−Ｍに隣接して配置される。第２フィルターＣＦ２はサブフィルター部を含まない。
【０１５６】
遮光層ＢＭＬは、遮光部ＢＭ、メイン開口部ＯＨ−Ｍ、、及びサブ開口部ＯＨ−Ｓを含む。遮光部ＢＭは、カラーフィルター層ＣＦＬの遮光フィルター部ＣＦ１−Ｂ、ＣＦ２−Ｂ、ＣＦ３−Ｂと重畳する。遮光部ＢＭは、カラーフィルター層ＣＦＬのメインフィルター部ＣＦ１−Ｍ、ＣＦ２−Ｍ、ＣＦ３−Ｍ、及びサブフィルター部ＣＦ１−Ｓ、ＣＦ３−Ｓとは非重畳である。遮光部ＢＭは、メインフィルター部ＣＦ１−Ｍ、ＣＦ２−Ｍ、ＣＦ３−Ｍの間、及びメインフィルター部ＣＦ１−Ｍ、ＣＦ３−Ｍとサブフィルター部ＣＦ１−Ｓ、ＣＦ３−Ｓの間に配置される。
【０１５７】
図１１乃至図１３に示した本発明の一実施形態の表示装置ＤＳ−ｂの製造方法は、例えば、ベース基板ＢＳの上に遮光層ＢＭＬを形成するステップと、設けられた遮光層ＢＭＬの上にカラーフィルター層ＣＦＬを形成するステップの順に行われる。つまり、ベース基板ＢＳの上に遮光物質を設けた後、メイン開口部ＯＨ−Ｍ及びサブ開口部ＯＨ−Ｓが定義される遮光層ＢＭＬを形成し、複数個のフィルターＣＦ１、ＣＦ２、ＣＦ３を順次に設けてカラーフィルター層ＣＦＬを形成する。
【０１５８】
一方、これとは異なって、図３乃至図６に示した本発明の一実施形態の表示装置ＤＳの製造方法は、例えば、ベース基板ＢＳの上にカラーフィルター層ＣＦＬを形成するステップと、カラーフィルター層ＣＦＬの上に遮光層ＢＭＬを形成するステップと、カラーフィルター層ＣＦＬの上に色変換層ＣＣＬを形成するステップの順に行われる。つまり、ベース基板ＢＳの上に複数個のフィルターＣＦ１、ＣＦ２、ＣＦ３を順次に設けてカラーフィルター層ＣＦＬを形成した後、カラーフィルター層ＣＦＬの上に遮光物質を設け、メイン開口部ＯＨ−Ｍ及びサブ開口部ＯＨ−Ｓを定義して遮光層ＢＭＬを形成する。次に、遮光部ＢＭの間に第１乃至第３色変換部ＣＣＬ１、ＣＣＬ２、ＣＣＬ３が形成される。
【０１５９】
一方、上述した本発明の一実施形態の表示装置ＤＳ、ＤＳ−ｂの製造方法は例示的なものであり、製造方法はこれに限定されない。
【０１６０】
図１４は、本発明の一実施形態の表示装置のＤＳ−ｃを示す断面図である。図１４に示した本発明の一実施形態の表示装置ＤＳ−ｃは、図１３に示した本発明の一実施形態の表示装置ＤＳ−ｂに比べ、カラーフィルター層ＣＦＬ−Ｃの構成に差がある。
【０１６１】
図１４に示した本発明の一実施形態の表示装置ＤＳ−ｃにおいて、カラーフィルター層ＣＦＬ−Ｃは第３フィルターＣＦ３及び第４フィルターＣＦ４を含む。第３フィルターＣＦ３は第３色変換部ＣＣＬ３と重畳し、第４フィルターＣＦ４は第１色変換部ＣＣＬ１及び第２色変換部ＣＣＬ２と重畳する。
【０１６２】
第３フィルターＣＦ３は第１色光である青色光を透過させる。第３フィルターＣＦ３は青色顔料を含む。また、これとは異なって、第３フィルター部ＣＦ３は透明フィルターであってもよい。第４フィルターＣＦ４は第４色光を透過させる。第４色光は黄色光である。つまり、第４フィルターＣＦ４は黄色フィルターである。第４フィルターＣＦ４は第１色変換部ＣＣＬ１及び第２色変換部ＣＣＬ２と重畳し、一体に設けられる。
【０１６３】
遮光層ＢＭＬには、メイン開口部ＯＨ−Ｍ及びサブ開口部ＯＨ−Ｓが定義される。メイン開口部ＯＨ−Ｍの間、及びメイン開口部ＯＨ−Ｍとサブ開口部ＯＨ−Ｓとの間には遮光部ＢＭが設けられる。
【０１６４】
第４フィルターＣＦ４は、遮光部ＢＭに非重畳でメイン開口部ＯＨ−Ｍで露出される第４メインフィルター部ＣＦ４−ＲＭ、ＣＦ４−ＧＭ、遮光部ＢＭに非重畳でサブ開口部ＯＨ−Ｓで露出される第４サブフィルター部ＣＦ４−Ｓ、及び遮光部ＢＭと重畳する第４遮光フィルター部ＣＦ４−Ｂを含む。
【０１６５】
第３フィルターＣＦ３は、遮光部ＢＭに非重畳でメイン開口部ＯＨ−Ｍで露出される第３メインフィルター部ＣＦ３−Ｍ、遮光部ＢＭに非重畳でサブ開口部ＯＨ−Ｓで露出される第３サブフィルター部ＣＦ３−Ｓ、及び遮光部ＢＭと重畳する第３遮光フィルター部ＣＦ３−Ｂを含む。
【０１６６】
図１５及び図１６は、本発明の一実施形態による表示装置ＤＳ−ｄを示す断面図である。図１５は図３に示した本発明の一実施形態の表示装置ＤＳの断面に対応する本発明の一実施形態の表示装置ＤＳ−ｄを示す断面図であり、図１６は図６に示した本発明の一実施形態の表示装置ＤＳの断面に対応する部分を示す断面図である。図１５乃至図１６に示した本発明の一実施形態の表示装置ＤＳ−ｄは、表示パネルＤＰ、表示パネルＤＰの上に配置される色変換層ＣＣＬ−ｄ、色変換層ＣＣＬ−ｄの上に配置されるカラーフィルター層ＣＦＬ−ｄ、及び色変換層ＣＣＬ−ｄの上に配置される遮光層ＢＭＬを含む。
【０１６７】
表示パネルＤＰに対しては、上述した図３乃至図６で説明した内容と同じ内容が適用される。表示パネルＤＰは表示素子層ＤＰ−ＯＥＬを含み、表示パネルＤＰは表示素子層ＤＰ−ＯＥＬから放出する第１色光を色変換層ＣＣＬ−ｄに提供する。
【０１６８】
色変換部ＣＣＬ−ｄは、第１色変換部ＣＣＬ１、第２色変換部ＣＣＬ２、及び第３色変換部ＣＣＬ３−ｄを含む。第１色変換部ＣＣＬ１は第１色光を第２色光に変換する第１量子ドットＱＤ１を含み、第２色変換部ＣＣＬ１は第１色光を第３色光に変換する第２量子ドットＱＤ２を含む。第３色変換部ＣＣＬ３−ｄは第１色光を透過させる。第１乃至第３色変換部ＣＣＬ１、ＣＣＬ２、ＣＣＬ３−ｄは散乱剤ＳＰを更に含む。
【０１６９】
本実施形態の表示装置ＤＳ−ｄは、第１フィルターＣＦ１及び第２フィルターＣＦ２を含むカラーフィルター層ＣＦＬ−ｄを含む。本実施形態において、第１フィルターＣＦ１は赤色フィルターで、第２フィルターＣＦ２は緑色フィルターである。
【０１７０】
カラーフィルター層ＣＦＬ−ｄは第３フィルターＣＦ３−ｄを含むが、本実施形態において、第３フィルターＣＦ３−ｄと第３色変換部ＣＣＬ３−ｄは一体に設けられる。第３フィルターＣＦ３−ｄ及び第３色変換部ＣＣＬ３−ｄは、マトリックス部ＭＸ、及びマトリックス部ＭＸに分散された散乱剤ＳＰを含む。また、一体に設けられる第３フィルターＣＦ３−ｄ及び第３色変換部ＣＣＬ３−ｄは青色顔料を更に含む。
【０１７１】
第３色変換部ＣＣＬ３−ｄと一体に設けられる第３フィルターＣＦ３−ｄは、第３メインフィルター部ＣＦ３−Ｍ、第３サブフィルター部ＣＦ３−Ｓ、及び第３遮光フィルター部ＣＦ３−Ｂを含む。一方、第１フィルターＣＦ１及び第２フィルターＣＦ２に対しては、上述した図３乃至図６で説明した内容と同じ内容が適用される。
【０１７２】
図１７及び図１８は、それぞれ本発明の一実施形態による表示装置ＤＳ−１、ＤＳ−２を示す平面図である。図１９は、図１８のＩＶ−ＩＶ’線に対応する部分を示す本発明の一実施形態の表示装置の断面図である。
【０１７３】
図１７乃至図１８に示した本発明の一実施形態による表示装置ＤＳ−１、ＤＳ−２は、上述した図２などで説明した表示装置ＤＳに比べ、発光領域の構成に差がある。
【０１７４】
図１７を参照すると、本実施形態の表示装置ＤＳ−１は、発光領域ＰＸＡ−１及びそれに隣接する非発光領域ＮＰＸＡを含む。非発光領域ＮＰＸＡは反射領域ＲＡ及び遮光領域ＢＡを含む。
【０１７５】
発光領域ＰＸＡ−１は第１乃至第３発光領域ＰＸＡ−Ｒ１、ＰＸＡ−Ｇ１、ＰＸＡ−Ｂ１を含む。本実施形態の表示装置ＤＳ−１においては、第１乃至第３発光領域ＰＸＡ−Ｒ１、ＰＸＡ−Ｇ１、ＰＸＡ−Ｂ１の面積は互いに異なる。一方、本明細書において、発光領域の面積は第１方向軸ＤＲ１及び第２方向軸ＤＲ２が定義する平面上における面積を示す。
【０１７６】
図１７に示した本発明の一実施形態の表示装置ＤＳ−１においては、第１発光領域ＰＸＡ−Ｒ１の面積は第２発光領域ＰＸＡ−Ｇ１及び第３発光領域ＰＸＡ−Ｂ１それぞれの面積より大きい。また、本実施形態の表示装置ＤＳ−１において、第１発光領域ＰＸＡ−Ｒ１の面積は第２発光領域ＰＸＡ−Ｇ１より大きく、第２発光領域ＰＸＡ−Ｇ１の面積は第３発光領域ＰＸＡ−Ｂ１より大きい。
【０１７７】
第１発光領域ＰＸＡ−Ｒ１の第１方向軸ＤＲ１の方向への幅であるＷ１は、第２発光領域ＰＸＡ−Ｇ１の第１方向軸ＤＲ１の方向への幅であるＷ２、及び第３発光領域ＰＸＡ−Ｂ１の第１方向軸ＤＲ１の方向への幅であるＷ３より大きい。または、本実施形態において、第１発光領域ＰＸＡ−Ｒ１の第１方向軸ＤＲ１の方向への幅であるＷ１は、第２発光領域ＰＸＡ−Ｇ１の第１方向軸ＤＲ１の方向への幅であるＷ２より大きく、第２発光領域ＰＸＡ−Ｇ１の第１方向軸ＤＲ１の方向への幅であるＷ２は、第３発光領域ＰＸＡ−Ｂ１の第１方向軸ＤＲ１の方向への幅であるＷ３より大きい。
【０１７８】
つまり、本実施形態の表示装置ＤＳ−１においては、第１発光領域ＰＸＡ−Ｒである赤色発光領域の面積が第２発光領域ＰＸＡ−Ｇである緑色発光領域の面積、及び第３発光領域ＰＸＡ−Ｂである青色発光領域の面積より大きい。
【０１７９】
しかし、第１乃至第３発光領域ＰＸＡ−Ｒ１、ＰＸＡ−Ｇ１、ＰＸＡ−Ｂ１の面積の割合は図１７の図示に限定されず、第１乃至第３発光領域ＰＸＡ−Ｒ１、ＰＸＡ−Ｇ１、ＰＸＡ−Ｂ１の面積の割合は、本実施形態の表示装置ＤＳ−１で要求される表示色感に応じて多様に調節されてもよい。
【０１８０】
図１８を参照すると、本実施形態の表示装置ＤＳ−２は、発光領域ＰＸＡ−２及びそれに隣接する非発光領域ＮＰＸＡを含む。非発光領域ＮＰＸＡは反射領域ＲＡ及び遮光領域ＢＡを含む。
【０１８１】
発光領域ＰＸＡ−２は、第１乃至第４発光領域ＰＸＡ−Ｒ、ＰＸＡ−Ｇ、ＰＸＡ−Ｂ２、ＰＸＡ−Ｗを含む。本実施形態の表示装置ＤＳ−２においては、図２に示した本発明の一実施形態の表示装置ＤＳに比べ第４発光領域ＰＸＡ−Ｗを更に含む。
【０１８２】
第４発光領域ＰＸＡ−Ｗは、第１乃至第３発光領域ＰＸＡ−Ｒ、ＰＸＡ−Ｇ、ＰＸＡ−Ｂ２とは異なる波長領域の光を提供する部分である。第１発光領域ＰＸＡ−Ｒは赤色発光領域であり、第２発光領域ＰＸＡ−Ｇは緑色発光領域であり、第３発光領域ＰＸＡ−Ｂは青色発光領域である。例えば、第４発光領域ＰＸＡ−Ｗは白色光を放出する白色発光領域であってもよい。
【０１８３】
一方、図１８に示した本発明の一実施形態の表示装置ＤＳ−２において、第３発光領域ＰＸＡ−Ｂ及び第４発光領域ＰＸＡ−Ｗは第２方向軸ＤＲ２の方向に交差して配列されると示されている。しかし、本実施形態はこれに限定されず、第１乃至第４発光領域ＰＸＡ−Ｒ、ＰＸＡ−Ｇ、ＰＸＡ−Ｂ２、ＰＸＡ−Ｗは第１方向軸ＤＲ１の方向に整列されてもよい。一方、図示とは異なり、第３発光領域ＰＸＡ−Ｂ２及び第４発光領域ＰＸＡ−Ｗの面積は、第１発光領域ＰＸＡ−Ｒ及び第２発光領域ＰＸＡ−Ｇの面積と実質的に同じ面積である。
【０１８４】
図１９は、図１８のＩＶ−ＩＶ’線に対応する断面を示す図である。本実施形態の表示装置ＤＳ−２は、表示パネルＤＰ、表示パネルＤＰの上に配置される色変換層ＣＣＬ−２、表示パネルＤＰの上に配置される遮光層ＢＭＬ、及び色変換層ＣＣＬ−２の上に配置されるカラーフィルター層ＣＦＬ−２を含む。
【０１８５】
表示パネルＤＰは第１色光を提供する。表示パネルＤＰは色変換層ＣＣＬ−２に第１色光である青色光を提供する。
【０１８６】
色変換層ＣＣＬ−２は、第１色変換部ＣＣＬ１、第２色変換部ＣＣＬ２、及び第３色変換部ＣＣＬ３の以外に第５色変換部ＣＣＬ５を更に含む。第１色変換部ＣＣＬ１は第１色光を波長変換して第２色光である赤色光を放出し、第２色変換部ＣＣＬ２は第１色光を波長変換して第３色光である緑色光を放出する。第３色変換部ＣＣＬ３は、第１色光を透過させて青色光を放出する部分である。
【０１８７】
第５色変換部ＣＣＬ５は白色光を放出する部分である。例えば、第５色変換部ＣＣＬ５は、第１色光である青色光によって波長変換される赤色量子ドット及び緑色量子ドットを全て含んでもよい。
【０１８８】
カラーフィルター層ＣＦＬ−２は第５フィルターＣＦ５を含む。第５フィルターＣＦ５は透明フィルターである。第５フィルターＣＦ５は、第５メインフィルター部ＣＦ５−Ｍ及び第５遮光フィルター部ＣＦ５−Ｂを含む。第５フィルターＣＦ５は、第５色変換部ＣＣＬ５から提供される白色光を透過させる。一方、第１フィルター乃至第３フィルターＣＦ１、ＣＦ２、ＣＦ３に対しては、上述した本実施形態の表示装置ＤＳで説明した内容と同じ内容が適用される。
【０１８９】
図２、図１７、及び図１８に示して説明した本発明の一実施形態による表示装置ＤＳ、ＤＳ−１、ＤＳ−２において、各発光領域ＰＸＡ−Ｒ、ＰＸＡ−Ｇ、ＰＸＡ−Ｂ、ＰＸＡ−Ｒ１、ＰＸＡ−Ｇ１、ＰＸＡ−Ｂ１、ＰＸＡ−Ｂ２、ＰＸＡ−Ｗは矩形状に示されているが、本実施形態はこれに限定されず、発光領域それぞれの形状は多様に変形されてもよい。
【０１９０】
一方、図２、図７、及び図１８では本発明の一実施形態による表示装置ＤＳ、ＤＳ−１、ＤＳ−２の各発光領域ＰＸＡ、ＰＸＡ−１、ＰＸＡ−２から同じ色の光を放出する発光領域がストライプ状に配列されると示されている。しかし、本実施形態はこれに限定されず、各発光領域ＰＸＡはペンタイル構造に配列されてもよい。
【０１９１】
本発明の一実施形態の表示装置は表示パネルの上に配置されるカラーフィルター層を含み、非発光領域の一部でカラーフィルター層のフィルターのうち一部を露出させることで、改善された表示品質を示す。本発明の一実施形態の表示装置は、発光領域に対応して定義されるメイン開口部及び非発光領域の一部に対応して定義されるサブ開口部を有する遮光層を含み、非発光領域の一部でカラーフィルター層を一部露出させることで、外部光による反射光の色感を調節する。
【０１９２】
また、本発明の一実施形態の表示装置は、非発光領域で露出されるカラーフィルター層の領域を調節することで、表示パネルに対する駆動方法を変更せずに反射色感を調節することで、優れた表示品質を示す。
【０１９３】
本発明の好ましい実施形態を参照して説明したが、該当技術分野における熟練した当業者または該当技術分野における通常の知識を有する者であれば、後述する特許請求の範囲に記載された本発明の思想及び技術領域から逸脱しない範囲内で本発明を多様に修正及び変更し得ることを理解できるはずである。
【０１９４】
よって、本発明の技術的範囲は明細書の詳細な説明に記載されている内容に限定されず、特許請求の範囲によって決められるべきである。
【符号の説明】
【０１９５】
ＤＳ、ＤＳ−１、ＤＳ−２、ＤＳ−ａ、ＤＳ−ｂ、ＤＳ−ｃ、ＤＳ−ｄ：表示装置、ＤＰ：表示パネル、ＣＣＬ：色変換層、ＣＦＬ：カラーフィルター層、ＢＭＬ：遮光層、ＯＨ−Ｍ：メイン開口部、ＯＨ−Ｓ：サブ開口部、ＢＭ：遮光部
【図１】
2020109757.tif 000004
【図２】
2020109757.tif 000005
【図３】
2020109757.tif 000006
【図４】
2020109757.tif 000007
【図５】
2020109757.tif 000008
【図６】
2020109757.tif 000009
【図７】
2020109757.tif 000010
【図８】
2020109757.tif 000011
【図９】
2020109757.tif 000012
【図１０】
2020109757.tif 000013
【図１１】
2020109757.tif 000014
【図１２】
2020109757.tif 000015
【図１３】
2020109757.tif 000016
【図１４】
2020109757.tif 000017
【図１５】
2020109757.tif 000018
【図１６】
2020109757.tif 000019
【図１７】
2020109757.tif 000020
【図１８】
2020109757.tif 000021
【図１９】
2020109757.tif 000022